(57)【要約】【課題】ポップアップ画面で表示されていた設定に関してユーザに混乱を生じさせずに、操作性を向上させたユーザインタフェース用表示装置および画像形成装置を提供する。【解決手段】画像形成装置に備えられるユーザインタフェース用表示装置に含まれる表示部としてのＬＣＤ５２において、詳細設定キーとしての倍率キーが選択されると、ポップアップ画面６７が表示されるとともに、割り込みキーは表示状態が変更され、選択不可用の表示とされた割り込みキー６０ａとなる。ポップアップ画面６７の表示中には、ユーザに割り込みキー６０ａを選択させない。よって、例えばポップアップ画面表示中に割り込みモードとなる場合のように、割り込みモードとなる前にポップアップ画面に表示されていた詳細設定に関して混乱を生じさせることがない。【選択図】　図１
2004056377.tif 000002
【特許請求の範囲】
【請求項１】
ユーザの選択を検出してジョブの詳細設定を設定するための詳細設定キーと、複数のジョブを所望の詳細設定に応じて実行できるとともに、実行中または待機中のジョブを割り込み指示に応じて停止して他のジョブを実行する制御手段とを含む電子機器に備えられ、上記割り込み指示を検出して上記制御手段へと送信する割り込みキーと、上記所望の詳細設定を表示する表示部と、上記詳細設定キーの選択を検出すると上記表示部に上記詳細設定の細部項目の展開表示をする表示制御手段とを備えるユーザインタフェース用表示装置において、
上記割り込みキーは、表示状態が変更可能となっている一方、
上記表示制御手段は、上記表示部に上記展開表示をするときに、上記割り込みキーの表示状態を変更することを特徴とするユーザインタフェース用表示装置。
【請求項２】
上記表示制御手段は、上記表示部に上記展開表示をするときに、上記割り込みキーにおいて検出する上記割り込み指示が無効となるよう上記制御手段に指示を送信することを特徴とする請求項１記載のユーザインタフェース用表示装置。
【請求項３】
上記表示制御手段は、上記詳細設定を完了して上記展開表示を終了するときに、上記割り込みキーにおいて検出する上記割り込み指示が有効となるよう上記制御手段に指示を送信することを特徴とする請求項２記載のユーザインタフェース用表示装置。
【請求項４】
上記割り込みキーは、上記表示部に表示されるソフトキーであることを特徴とする請求項１ないし３のいずれか１項に記載のユーザインタフェース用表示装置。
【請求項５】
上記表示制御手段は、上記表示部に上記展開表示をするときに、上記割り込みキーの表示を消去することを特徴とする請求項４記載のユーザインタフェース用表示装置。
【請求項６】
上記表示制御手段は、上記表示部に上記展開表示をするときに、上記割り込みキーの少なくとも一部を上記展開表示によって隠すことを特徴とする請求項４記載のユーザインタフェース用表示装置。
【請求項７】
上記表示制御手段は、上記表示部に上記展開表示をするときに、上記割り込みキーの表示状態を選択不可用の表示に変更することを特徴とする請求項１ないし５のいずれか１項に記載のユーザインタフェース用表示装置。
【請求項８】
上記表示制御手段は、上記詳細設定を完了して上記展開表示を終了するときに、上記割り込みキーの表示状態を、上記展開表示をする前の状態に戻すことを特徴とする請求項１ないし７のいずれか１項に記載のユーザインタフェース用表示装置。
【請求項９】
ユーザに警告を行うための警告手段を有し、
上記表示制御手段は、上記表示部に上記展開表示をしているときに、上記割り込みキーの選択を検出すると、上記警告手段を用いて警告を行うことを特徴とする請求項１ないし８のいずれか１項に記載のユーザインタフェース用表示装置。
【請求項１０】
請求項１ないし９のいずれか１項に記載のユーザインタフェース用表示装置を備えている、上記電子機器であることを特徴とする画像形成装置。
【発明の詳細な説明】
【０００１】
【発明の属する技術分野】
本発明は、複数のジョブを実行可能な電子機器に備えられるユーザインタフェース用表示装置および画像形成装置に関するものであり、より詳細には、例えば割り込み指示を検出する割り込みキーを備え、ジョブに関する情報を表示するとともに詳細設定の細部項目を展開表示するユーザインタフェース用表示装置およびそれを備えた画像形成装置に関するものである。
【０００２】
【従来の技術】
近年、技術の進歩に伴い、種々の電子機器において、ユーザの利用できる機能が非常に増加している。そこで、例えば複写機のような画像形成装置においては、液晶パネルのようなユーザインタフェース用表示装置を用いて、これらの機能を整理して表示させるようになっている。より詳細には、例えば、まず詳細設定のための選択肢を表示し、次いでポップアップ画面として、選択された選択肢についての細部項目を展開表示する。これによって、多大な機能を整理して表示させることができる。
【０００３】
また、例えば複写機には、複数のジョブを投入することができる。複写機は、これらのジョブを順次処理する一方、ジョブの処理状況を例えば液晶パネルに表示する。一方、液晶パネルには、ジョブの処理を制御するキーとして、例えば実行中または待機中のジョブに対するユーザによる割り込み指示を検出するための割り込みキーが備えられている。例えばユーザがこの割り込みキーを押すと、複写機はその割り込み指示を検出して割り込みモードに入り、選択された実行中または待機中のジョブに関する動作を停止して、他のジョブに関する動作を実行する。
【０００４】
このように、近年では、複数のジョブを実行可能な電子機器に備えられ、割り込み指示を検出する割り込みキーを含み、ジョブに関する情報を表示するとともに詳細設定の細部項目を展開表示するユーザインタフェース用表示装置が用いられている。
【０００５】
このようなユーザインタフェース用表示装置の一例として、例えば、日本国の特許掲載公報「第２８８７８００号公報」（その公開特許公報は「特開平１−２７００９５号（公開日：１９８９年１０月２７日）」。）には、ポップアップ画面を表示しているとき、割り込みモードに入ると、ポップアップ画面の表示を消去するユーザインタフェース用表示装置が開示されている。
【０００６】
上記ユーザインタフェース用表示装置によれば、例えばポップアップ画面表示中に、他のユーザが割り込みキーを押して記録を行う場合には、ポップアップ画面が消去されるので、他のユーザが自らポップアップ画面を消去する必要がない。したがって、ユーザインタフェース用表示装置の操作性を向上できる。
【０００７】
また、ユーザインタフェース用表示装置の他の一例として、日本国の公開特許公報「特開２００２−４１２０２号公報（公開日：２００２年２月８日）」には、ポップアップ画面を表示しているとき、割り込みモードに入ると、ポップアップ画面の表示をアイコンやメッセージ等の表示キャラクタ化するユーザインタフェース用表示装置が開示されている。上記ユーザインタフェース用表示装置によれば、例えばポップアップ画面表示中に、他のユーザが割り込みキーを押して記録を行う場合には、展開されたポップアップ画面をアイコンやメッセージのような小さな表示キャラクタへと変える。したがって、他のユーザが自らポップアップ画面を消去する必要がなく、ユーザインタフェース用表示装置の操作性を向上できる。また、例えば割り込みキーの入力以前にポップアップ画面が表示されていたことを明示できる。
【０００８】
【発明が解決しようとする課題】
しかしながら、上記各公報記載の構成においては、ポップアップ画面に表示された細部項目がどのように設定されたかはっきりと分からないため、ユーザに混乱を生じさせてしまう虞れがある。
【０００９】
すなわち、上記特許第２８８７８００号公報、上記特開２００２−４１２０２号公報においては、割り込みモードへの切替えとともに、細部項目を展開するポップアップ画面の表示を消去、またはアイコン化、裏画面への移動などするため、割込みモードへの切替え以前にポップアップ画面で表示されていた設定が有効とされたのかどうかが分かりづらいという問題がある。このため、ポップアップ画面で表示されていた設定に関して、ユーザに混乱を生じさせてしまう虞れがある。
【００１０】
また、ポップアップ画面の表示を消去または表示キャラクタ化すると、割り込みモードの終了後において、消去または表示キャラクタ化されたポップアップ画面の設定を有効とすべきか又は無効とすべきかについてユーザに混乱を生じさせてしまう虞れもある。
【００１１】
本発明は、上記の問題点に鑑みてなされたものであり、その目的は、展開表示としてのポップアップ画面で表示されていた設定に関してユーザに混乱を生じさせずに、操作性を向上させたユーザインタフェース用表示装置および画像形成装置を提供することにある。
【００１２】
【課題を解決するための手段】
本発明に係るユーザインタフェース用表示装置は、上記課題を解決するために、ユーザの選択を検出してジョブの詳細設定を設定するための詳細設定キーと、複数のジョブを所望の詳細設定に応じて実行できるとともに、実行中または待機中のジョブを割り込み指示に応じて停止して他のジョブを実行する制御手段とを含む電子機器に備えられ、上記割り込み指示を検出して上記制御手段へと送信する割り込みキーと、上記所望の詳細設定を表示する表示部と、上記詳細設定キーの選択を検出すると上記表示部に上記詳細設定の細部項目の展開表示をする表示制御手段とを備えるユーザインタフェース用表示装置において、上記割り込みキーは、表示状態が変更可能となっている一方、上記表示制御手段は、上記表示部に上記展開表示をするときに、上記割り込みキーの表示状態を変更することを特徴としている。
【００１３】
ここで、ジョブとは、例えば電子装置が画像形成装置である場合には、記録動作、読取動作、または他の動作に関するジョブを含むものとする。
【００１４】
また、割り込み指示とは、実行中または待機中のジョブに対する指示であって、選択したジョブに関する動作を停止して、他のジョブに関する動作を実行させる命令をいう。後から入力するジョブを、待機中のジョブよりも先に実行させることも、割り込み指示に含まれる。
【００１５】
また、細部項目の展開表示とは、画面の重ね表示、ウィンドウ表示などのいわゆるポップアップ画面の表示を含むものとする。
【００１６】
また、割り込みキーの表示状態とは、例えば割り込みキーが表示部に表示されるソフトキーとして実現されている場合にはその表示状態に相当する。また、例えば割り込みキーがハードキーとして実現され、ランプを備えている場合には、そのランプの点灯状態を含むものとする。
【００１７】
上記構成において、ユーザインタフェース用表示装置は、表示部に展開表示をするときに、割り込みキーの表示状態を変更する。したがって、例えば割り込みキーの表示状態を適切に変更すれば、以下に説明するように、ユーザに対して割り込みキーを選択できないと通知できる。また、例えば、ユーザに対して展開表示を終了させるように促すことができる。
【００１８】
すなわち、上記ユーザインタフェース用表示装置は、割り込みキーの表示状態の変更として、例えば、割り込みキーを表示部から消してしまったり、割り込みキーの表示状態を選択不可用のグレー表示（淡濃度表示）としたり、または割り込みキーを表示部の表示画面の背後に隠してしまったりする。このように、割り込みキーの表示状態を適切に変更すれば、ユーザに対して割り込みキーを選択できない旨を通知できる。したがって、ユーザに割り込みキーを選択させず、割り込みモードとさせない。
【００１９】
したがって、展開表示としてのポップアップ画面の表示中に割り込みモードとなることを防止するので、割り込みモードとなる前にポップアップ画面に表示されていた詳細設定に関して、例えばその詳細設定が有効であるか否かについて、ユーザに混乱を生じさせることがない。また、展開表示を確実に終了させてから割り込みモードを選択するようにユーザを促すので、ユーザにポップアップ画面中の詳細設定を確認させてからポップアップ画面を終了させて、詳細設定についてユーザを混乱させることがない。
【００２０】
したがって、ポップアップ画面で表示されていた設定に関してユーザに混乱を生じさせずに、操作性を向上させたユーザインタフェース用表示装置を提供できる。
【００２１】
ここで、上述の従来の技術においては、例えば細部項目を展開表示するポップアップ画面を表示したときに、ジョブの動作を停止して他のジョブを実行するための割り込みモードへの切替えが可能となっていた。このため、ユーザがポップアップ表示中の設定を確定する前に、割り込みモードを選択することができた。したがって、ポップアップの設定が有効であるか又は無効であるかについて、ユーザの混乱を招くことになる。
【００２２】
そこで、本発明においては、ポップアップ表示中に割り込みモードへの切替えがなされないようにする。また、ユーザに、ポップアップ表示中の設定を確定させてから、割り込みモードへの切替えを含む次の操作をさせるようにする。これによって、ユーザの混乱を避けることができる。
【００２３】
なお、表示部は、ジョブに関する詳細設定を表示するだけでなく、例えば実行中または待機中のジョブに関する処理の状況を表示してもよい。
【００２４】
また、電子機器としては、複数のジョブを所望の詳細設定に応じて実行でき、ジョブへの割り込みが可能であるものであればよく、特に限定されない。
【００２５】
本発明に係るユーザインタフェース用表示装置は、上記課題を解決するために、上記構成において、上記表示制御手段は、上記表示部に上記展開表示をするときに、上記割り込みキーにおいて検出する上記割り込み指示が無効となるよう上記制御手段に指示を送信することを特徴としている。
【００２６】
上記構成によれば、表示制御手段は割り込み指示が無効となるよう制御手段に指示を送信するので、この送信以降に割り込みキーにて検出される割り込み指示は無効とされる。
【００２７】
したがって、ポップアップ画面の表示中に割り込みモードとなることを確実に防止でき、ユーザに混乱を生じさせることが全くない。
【００２８】
なお、上述の指示の送信は、どのような形式で行うものであってもよい。
【００２９】
本発明に係るユーザインタフェース用表示装置は、上記課題を解決するために、上記構成において、上記表示制御手段は、上記詳細設定を完了して上記展開表示を終了するときに、上記割り込みキーにおいて検出する上記割り込み指示が有効となるよう上記制御手段に指示を送信することを特徴としている。
【００３０】
上記構成によれば、ユーザの指示に応じて詳細設定を完了して展開表示を終了するとき以降に割り込みキーにて検出される割り込み指示は有効とされる。したがって、これ以降はユーザが割り込みキーを押せば割り込みモードへの切替えが可能となる。この場合には上述のような混乱をユーザに生じさせることはない。
【００３１】
なお、上述の指示の送信は、どのような形式で行うものであってもよい。
【００３２】
本発明に係るユーザインタフェース用表示装置は、上記課題を解決するために、上記構成において、上記割り込みキーは、上記表示部に表示されるソフトキーであることを特徴としている。
【００３３】
ここで、ソフトキーとは、ソフトウェアの機能として実現されるキーを意味する。例えば、表示部がタッチパネルである場合には、ソフトキーを表示部に表示させる一方、タッチパネル上のソフトキーへの押圧を検出して、割り込みキーを実現してもよい。また、例えば、表示部上の注目点を矢印キーなどによって移動可能とし、表示部に表示されたソフトキーを選択可能として、割り込みキーを実現してもよい。
【００３４】
上記構成によれば、割り込みキーは表示部に表示されるので、割り込みキーの表示状態を容易に変更することができる。例えば割り込みキーの表示状態の変更として、割り込みキーの表示を消去して、非表示とすることもできる。したがって、ユーザに分かりやすいユーザインタフェースを提供できる。
【００３５】
本発明に係るユーザインタフェース用表示装置は、上記課題を解決するために、上記構成において、上記表示制御手段は、上記表示部に上記展開表示をするときに、上記割り込みキーの表示を消去することを特徴としている。
【００３６】
上記構成によれば、表示部に展開表示がなされて例えばポップアップ画面を表示するときに、割り込みキーの表示は消去される、すなわち割り込みキーが非表示となる。したがって、ユーザに割り込みキーを選択させないので、ポップアップ画面の表示中に割り込みモードとなることを確実に防止でき、ユーザに混乱を生じさせることがない。
【００３７】
本発明に係るユーザインタフェース用表示装置は、上記課題を解決するために、上記構成において、上記表示制御手段は、上記表示部に上記展開表示をするときに、上記割り込みキーの少なくとも一部を上記展開表示によって隠すことを特徴としている。
【００３８】
上記構成によれば、細部項目の展開表示として例えばポップアップ画面を表示したとき、割り込みキーの少なくとも一部が展開表示されたポップアップ画面の裏画面に隠れる。これによって、割り込みキーがユーザによって選択されることを防止でき、また割込みキーの選択が不可能であることをユーザに明示できる。
【００３９】
したがって、ユーザに割り込みキーを選択させないので、ポップアップ画面の表示中に割り込みモードとなることを確実に防止でき、ユーザに混乱を生じさせることがない。
【００４０】
また、上記構成によれば、展開表示としてのポップアップ画面による設定が終了したときに、割り込みキーの選択が再び可能となることを、ユーザに明示できる。
【００４１】
本発明に係るユーザインタフェース用表示装置は、上記課題を解決するために、上記構成において、上記表示制御手段は、上記表示部に上記展開表示をするときに、上記割り込みキーの表示状態を選択不可用の表示に変更することを特徴としている。
【００４２】
ここで、選択不可用の表示とは、例えば所定の濃度で表示していたものを淡濃度で表示させるといったグレー表示を含むものとする。また、その他に、例えば点線を用いて表示を行う構成も含む。
【００４３】
上記構成によれば、細部項目の展開表示として例えばポップアップ画面を表示したとき、この選択不可用の表示によって、割り込みキーが選択できない状態であることをユーザに明示できる。したがって、ユーザに割り込みキーの選択をさせず、ユーザに混乱を生じさせることがない。
【００４４】
本発明に係るユーザインタフェース用表示装置は、上記課題を解決するために、上記構成において、上記表示制御手段は、上記詳細設定を完了して上記展開表示を終了するときに、上記割り込みキーの表示状態を、上記展開表示をする前の状態に戻すことを特徴としている。
【００４５】
上記構成によれば、例えば細部項目の展開表示としてのポップアップ画面の表示とともに割り込みキーを消去した場合には、ポップアップ画面を終了させたときに割込みキーを再表示する。また、例えば細部項目の展開表示としてのポップアップ画面の表示とともに割り込みキーを選択不可用の表示に変更した場合には、ポップアップ画面を終了させたときに元の選択可能な表示状態とする。したがって、ユーザに対して割り込みモードが選択可能となったことを明示できる。したがって、迅速なユーザインタフェースを提供できる。
【００４６】
本発明に係るユーザインタフェース用表示装置は、上記課題を解決するために、上記構成において、ユーザに警告を行うための警告手段を有し、上記表示制御手段は、上記表示部に上記展開表示をしているときに、上記割り込みキーの選択を検出すると、上記警告手段を用いて警告を行うことを特徴としている。
【００４７】
上記構成によれば、ユーザによる割り込みキーの選択を検出するとユーザに警告を行うので、割り込みキーを選択できない旨をユーザに対してより確実に明示できる。
【００４８】
本発明に係る画像形成装置は、上記課題を解決するために、上述のいずれかのユーザインタフェース用表示装置を備えている、上記電子機器であることを特徴としている。
【００４９】
上記画像形成装置は、記録動作、読取動作などを行う、複数のジョブを実行することができる。上記画像形成装置は、ユーザの選択を検出して詳細設定のための展開表示をするとともに、割り込みキーの表示状態を変更する。
【００５０】
したがって、展開表示としてのポップアップ画面の表示中に割り込みモードとなることを防止して、例えば割り込みモードとなる前にポップアップ画面に表示されていた詳細設定に関してユーザに混乱を生じさせることがない。また、展開表示を確実に終了させてから割り込みモードを選択するようにユーザを促して、ユーザを混乱させることがない。
【００５１】
したがって、ポップアップ画面で表示されていた設定に関してユーザに混乱を生じさせずに、操作性を向上させた画像形成装置を提供できる。
【００５２】
【発明の実施の形態】
本発明に係るユーザインタフェース用表示装置は、詳細設定に応じて複数のジョブを実行可能であり、実行中または待機中のジョブを割り込み指示に応じて停止して他のジョブを実行する制御手段を含む電子機器としての画像形成装置に備えられている。上記ユーザインタフェース用表示装置は、割り込みキーと詳細設定を表示する表示部とを備え、詳細設定キーが選択されたことを検出すると、この選択に応じた詳細設定の細部項目を表示部に展開表示して、機能を整理して表示するようになっている。
【００５３】
また、上記ユーザインタフェース用表示装置は、割り込みキーの表示状態が変更可能となっており、展開表示をするときには割り込みキーの表示状態が変更される。これによって、以下に説明するように、ユーザに混乱を生じさせずに、操作性を向上させたユーザインタフェース用表示装置を提供できる。
【００５４】
本発明の一実施の形態について図１ないし図１０に基づいて説明すると以下の通りである。
【００５５】
本実施の一形態のデジタル複写機（画像形成装置、電子機器）１の概略構成について、図２に基づいて説明する。デジタル複写機１は、例えば図示しない原稿から画像を読取り、その画像データ、または外部の装置から転送される画像データを、図示しない印刷シートに印刷することができる。
【００５６】
デジタル複写機１は、概略的に、自動原稿搬送装置２、原稿読取部３、画像形成部４、多段給紙部５および後処理装置６を含んでいる。
【００５７】
自動原稿搬送装置２は、デジタル複写機１の上面の透明ガラスからなる原稿台１１上に備えられている。
【００５８】
自動原稿搬送装置２は、例えば図示しない操作パネル（ユーザインタフェース用表示装置）を用いたユーザの指示に応じて、原稿セットトレイ上にセットされた複数枚の原稿を１枚ずつ自動的に原稿台１１上へ給送する。
【００５９】
原稿読取部３は、原稿台１１の下部に配置され、原稿台１１上に載置された原稿の画像を走査して読取るものである。
【００６０】
原稿読取部３は、第１の走査ユニット１３、第２の走査ユニット１４、光学レンズ１５および光電変換素子であるＣＣＤラインセンサ１６を有している。
【００６１】
第１の走査ユニット１３は、原稿面上を露光する露光ランプユニットと、原稿からの反射光像を所定の方向に反射させる第１ミラー等から構成されている。第２の走査ユニット１４は、第１ミラーから反射されてくる原稿からの反射光を光電変換素子であるＣＣＤラインセンサ１６に導く第２ミラーおよび第３ミラーより構成されている。光学レンズ１５は、原稿からの反射光をＣＣＤラインセンサ１６上に結像させるものである。
【００６２】
また、原稿読取部３は、自動原稿搬送装置２との関連した動作により、自動原稿搬送装置２にて自動搬送される原稿の画像を、所定の露光位置にて読取るようになっている。
【００６３】
この原稿読取部３にて読取られた原稿の画像データは、図示しない画像データ入力部へと送られる。画像データ入力部にて、画像データに対して所定の画像処理が施された後、画像形成部４の制御部（制御手段）７内の画像データ記憶用のメインメモリに一旦記憶される。そして、制御部７内の中央処理部が、出力指示に応じてメインメモリ内の画像を読出して、画像形成部４の光書込み装置であるレーザ書込みユニット２７に転送する。
【００６４】
画像形成部４のレーザ書込みユニット２７は、図示しない画像データ出力部、半導体レーザ光源、ポリゴンミラー、ｆ−θレンズなどから構成されている。半導体レーザ光源は、画像データ出力部の制御に応じて、原稿読取部３から転送され、または外部の装置から転送されてきてメインメモリに格納された画像データを読み出して、その画像データに応じてレーザ光を出射する。ポリゴンミラーは、レーザ光を等角速度偏向するものである。ｆ−θレンズは、等角速度で偏向されたレーザ光が、感光体ドラム２２上において等角速度で偏向されるように補正するものである。
【００６５】
なお、本実施の形態では、光書込み装置としてレーザ書込みユニット２７を用いているが、ＬＥＤやＥＬ等の発光素子アレイを用いた固体走査型の光書込み装置を用いてもよい。
【００６６】
画像形成部４にはその他に、感光体ドラム２２の周囲に、感光体ドラム２２を所定の電位に帯電させる帯電器２３、感光体ドラム２２上に形成された静電潜像にトナーを供給して顕像化する現像器２４、感光体ドラム２２表面に形成されたトナー像を印刷シートに転写する転写器（転写チャージャ等）２５、余分なトナーを回収するクリーニング器２６、除電器（除電チャージャ等）２９を備えている。
【００６７】
上記構成の画像形成部４において、感光体ドラム２２に画像データに応じてトナー像が形成される一方、図示しない印刷シートが搬送されて、転写器２５にて印刷シートへトナーが転写される。
【００６８】
画像データに応じてトナー像が転写された印刷シートは、その後、定着ユニット１７に送られて、トナーが印刷シートに定着される。
【００６９】
画像形成部４の排出側には、定着ユニット１７の他に、印刷シートの裏面に再度印刷をする場合に印刷シートの前後を反転させるためのスイッチバック路２１が備えられている。定着ユニット１７にてトナーが定着された印刷シートは、必要に応じてスイッチバック路２１を経て排紙ローラ１９にて後処理装置６へと導かれる。
【００７０】
後処理装置６は、印刷がなされた印刷シートに対してステープル処理等を行うものである。後処理装置６は、昇降トレイ３６を有している。後処理装置６に導かれた印刷シートは、ここで所定の後処理が施された後、排出される。
【００７１】
ここで、デジタル複写機１は、上記の画像形成部４へ印刷シートの供給を行う給紙のための手段として、側面に備えられた手差トレイ３４、両面ユニット３５、用紙トレイ３１、画像形成部４の下方に配設されている多段給紙部５に備えられた給紙トレイ３２、３３を含んでいる。また、３１、３２、３３、３４の各トレイから給紙する印刷シートを、画像形成部４において転写器２５が配置された転写位置へと搬送する搬送手段３０を備えている。両面ユニット３５は、印刷シートを反転させるスイッチバック路２１に通じており、印刷シートの両面に印刷を行う際に用いられる。なお、両面ユニット３５は、通常の用紙カセット（用紙トレイ）と交換可能な構成となっており、両面ユニット３５を通常の用紙カセットに置き換えた構成とすることも可能となっている。
【００７２】
次に、上記デジタル複写機１の構成について、図３に基づいて説明する。
【００７３】
図３は、デジタル複写機１における画像データおよび制御信号の流れを示すためのブロック図である。
【００７４】
デジタル複写機１は、装置の各部を、制御部７に備える中央処理部７ａによって動作管理している。
【００７５】
中央処理部７ａは、画像処理部７ｂに加えて、例えば自動原稿搬送装置２、後処理装置６などのデジタル複写機１の各駆動機構部である、自動原稿搬送駆動部４４、原稿読取駆動部４５、給紙搬送系駆動部４６、画像形成駆動部４７、後処理制御部４８などと接続されている。中央処理部７ａは、接続される各部をシーケンス制御によって管理するとともに、各部へ制御信号を出力している。
【００７６】
例えば後処理制御部４８は、中央処理部７ａからの制御信号に応じて、搬送系駆動部４９を制御して、後処理装置６を駆動する。その他の各駆動部である自動原稿搬送駆動部４４、原稿読取駆動部４５、給紙搬送系駆動部４６、画像形成駆動部４７についても同様に、中央処理部７ａからの制御信号に応じて、図示しないモータ、クラッチ、スイッチ、ソレノイド、高圧などを制御する。なお、図３においては、簡単のため、これらの各駆動部、すなわち自動原稿搬送駆動部４４、原稿読取駆動部４５、給紙搬送系駆動部４６、画像形成駆動部４７によって駆動する部材は図示していない。
【００７７】
また、中央処理部７ａと接続された画像処理部７ｂは、画像データ入力部４０および画像データ出力部４２とも接続されている。上記構成において、画像データ入力部４０は、図２に示す原稿読取部４における制御部である。また、画像データ出力部４２は、レーザ書込みユニット２７における制御部である。
【００７８】
また、中央処理部７ａは、操作パネル（ユーザインタフェース用表示装置）５０と相互通信可能な状態で接続されている。操作パネル５０は、ハードキー群５１、ＬＣＤ（Ｌｉｑｕｉｄ　Ｃｒｙｓｔａｌ　Ｄｉｓｐｌａｙ）（表示部）５２および表示制御部（表示制御手段、警告手段）６９を備えている。
【００７９】
ユーザが操作パネル５０のハードキー群５１またはＬＣＤ５２上のソフトキーを操作すると、操作パネル５０がキー入力を検出して、入力された設定に応じた複写モード内容を示す制御信号を中央処理部７ａに転送する。そしてデジタル複写機１全体が設定されたモードに応じた動作をする。
【００８０】
また、中央処理部７ａから、デジタル複写機１の各種動作状態を示す制御信号を操作パネル５０へと転送し、表示制御部６９を介してＬＣＤ５２に表示させる。これによって、例えばデジタル複写機１が現在どのような状態にあるのかを、ユーザに示すことができる。
【００８１】
ここで、上記構成において、例えば画像の読取を行う場合の動作は、以下のようになる。すなわち、例えば操作パネル５０を用いたユーザからの指示に応じて、図示しない原稿を搬送して、ＣＣＤラインセンサ１６にて画像データを読み込む。画像データは、画像データ入力部４０、画像処理部７ｂを介して、メインメモリ７ｃへと送信される。なお、この画像データは、さらに必要に応じて、ハードディスク４１へと記録されるようになっている。また、例えば操作パネル５０を用いたユーザからの指示に応じて、図示しない外部の装置から、画像データ通信Ｉ／Ｆ（ｉｎｔｅｒｆａｃｅ：インタフェース）４３を介して画像データが送信され、メインメモリ７ｃに蓄積される構成であってもよい。
【００８２】
ここで、操作パネル５０の詳細について、図４に基づいて説明する。操作パネル５０は、ハードキー群５１とＬＣＤ５２とを備えている。
【００８３】
ハードキー群５１は、テンキー５３、クリアキー５４、全解除キー５５およびスタートキー（プリント開始キー）５６を含んでいる。
【００８４】
テンキー５３は、例えば複写枚数や複写部数のような、ＬＣＤ５２に表示される設定値のうち、選択可能な数値を入力するために使用するキーである。クリアキー５４は、ＬＣＤ５２に表示される設定値をクリアするキーである。また、例えば複写動作中にクリアキー５４を押すと、複写動作が中断されて複写枚数がクリアされ、以降の複写動作が停止される。全解除キー５５は、複写のための設定値をデフォルト値に戻すためのキーである。スタートキー５６は、複写動作の開始を指示するためのキーである。
【００８５】
なお、クリアキー５４と割り込みキーとの違いは、以下の通りである。クリアキー５４は、例えば動作中のジョブを中断し、枚数をクリアし、通常はその後一部の設定を変更してジョブのやり直しを行うか、その後のジョブの実行を止めるために用いられる。一方、割り込みキーは、例えば動作中のジョブを一時的に中断し、割り込み解除にて中断したジョブを再開して引き続き実行するときに用いられる。
【００８６】
ＬＣＤ５２の詳細について、図５に基づいて説明する。本実施形態のＬＣＤ５２は、タッチパネル型の液晶表示装置である。
【００８７】
このＬＣＤ５２の画面上には、種々の画面が切替えて表示される。これらの画面中では、種々の条件を設定するタッチキー（ソフトキー）が表示される。例えば、図５に示すように、画面５８には、タッチキーとして、割り込みキー（ソフトキー）６０、特別機能キー６１、両面印刷キー６２、アウトプットキー６３、自動／コピー濃度キー６４、用紙選択キー６５、倍率キー６６が表示される。ＬＣＤ５２は、これらのタッチキーに対するユーザの入力を検出すると、すなわち例えば指による押圧操作を検出すると、制御部７または表示制御部６９の制御によって、入力に応じた各種の条件設定を行う。また、操作のガイダンスや、警告手段としての表示制御部６９による警告等もこのＬＣＤ５２に表示される。なお、割り込みキー６０はＬＣＤ５２上に表示されるものであり、表示状態は変更可能となっている。
【００８８】
なお、上述のハードキー群５１およびタッチキーへの押圧を検出して操作パネル５０の制御を行う詳細な構成については、どのようなものであってもよく、ソフトウェアをコンピュータに実行させることによって構成してもよいし、または例えば半導体素子を組み合わせてハードウェアとして構成してもよい。
【００８９】
また、ＬＣＤ５２の画面には、デジタル複写機１の動作状況を示すメッセージ部５９ａおよびデジタル複写機１の設定状況を示すアイコン部５９ｂも表示されている。
【００９０】
ここで、画面５８の外側の、ＬＣＤ５２の左部分には、実行中、待機中のジョブを表示するためのジョブリスト５７が示されている。本実施形態においては、ジョブリスト５７表示として、現在実行中のジョブ５７ａと次に実行する待ちジョブ５７ｂとが表示されている。なお、待ちジョブがさらにある場合には待ちジョブ５７ｂの下に続けて表示されるようになっている。
【００９１】
本実施形態の割り込みキー６０は、このような実行中のジョブ５７ａや待ちジョブ５７ｂなどがあるときのみ表示されるようになっている。この割り込みキーは、例えば複写ジョブ実行中の場合には複写を停止して他の処理を実行させるために用いられる。
【００９２】
アイコン部５９ｂの両側に配置された、特別機能キー６１、両面印刷キー６２、アウトプットキー６３、自動／コピー濃度キー６４、用紙選択キー６５、倍率キー６６などは、デジタル複写機１における複写の詳細な設定を行うための詳細設定キーである。ユーザがこれらのキーを押すと、操作パネル５０はその押圧を検出して、ＬＣＤ５２に表示した選択肢に対する選択がなされたものとして、その選択された選択肢の細部項目をＬＣＤ５２に展開表示する。すなわち、詳細設定キーを押すと、表示制御部６９によってポップアップ画面が表示される。
【００９３】
例えば、倍率キー６６を押したときは、図１に示すように、ポップアップ画面６７が表示される。この際、ＬＣＤ５２の画面５８ａには、表示制御部６９の制御によって、表示状態が変更された割り込みキー６０ａが表示される。割り込みキー６０ａは、その表示濃度をごく淡い状態とするグレー表示によって、ユーザに選択不可であることを示している。また、ポップアップ画面６７の表示中であることを見やすくするために、倍率キー６６の表示も変更して倍率キー６６ａとする。なお、ここでは、割り込みキー６０ａの表示状態を選択不可用のグレー表示に変更するとともに、割り込みキー６０ａを用いた割り込み指示が無効となるよう設定される。
【００９４】
ポップアップ画面６７には、細部項目としての倍率表示６８ａ、拡大キー６８ｂ、縮小キー６８ｃやＯＫキー６８ｄが表示される。また、これらのキー６８ａ〜６８ｄの下方には、倍率を選択する際の参考となるように、典型的な用紙サイズにおける倍率が表示される。例えば拡大キー６８ｂまたは縮小キー６８ｃを用いて、倍率表示６８ａに示す倍率を増加（拡大）または減少（縮小）することができる。なお、この表示状態にて、例えば選択不可用の表示がなされた割り込みキー６０ａをユーザが押した場合には、ＬＣＤ５２に警告が表示されるようになっている。
【００９５】
ユーザがＯＫキー６８ｄを押すと、詳細設定が完了したものとして、図６に示すようにポップアップ表示が終了するとともに、倍率表示６８ａに示した倍率が倍率キー６６ｂのように設定される。また、割り込みキー６０ａは元の割り込みキー６０として表示される。なお、ここでは、割り込みキー６０ａの表示状態を元の割り込みキー６０に戻すとともに、割り込みキー６０を用いた割り込み指示が有効となるよう設定される。
【００９６】
次に、上述のポップアップ表示の開始から終了までの、操作パネル５０における処理について、図７に基づいて説明する。
【００９７】
デジタル複写機１において、例えば図４に示すように、現在実行中のジョブがある状態にて処理を開始する。
【００９８】
ステップＳ１にて、割り込みキー６０に対する押圧の有無を検出する。割り込みキー６０に対する押圧が検出された場合には、割り込みモードが選択されたものとしてＳ２に進む。割り込みキー６０に対する押圧が検出されない場合には、Ｓ６に進む。
【００９９】
割り込みモードが選択されたＳ２においては、実行中のジョブを停止する。次にＳ３において割り込みモードが実行され、例えば所望のジョブを優先的に処理する。Ｓ４において割り込みモードが終了すると、Ｓ５において停止したジョブを再開する。また、Ｓ１にて再び割り込みキーに対する押圧の有無を検出する。
【０１００】
Ｓ１にて割り込みモードが選択されなかったＳ６においては、上述の詳細設定キーに対する押圧の有無を検出する。詳細設定キーに対する押圧が検出された場合には、Ｓ７に進む。詳細設定キーに対する押圧が検出されない場合には、Ｓ１１に進んで、通常処理として、現在実行中のジョブ、待機中のジョブについて順次処理をし、その後に処理を終了する。
【０１０１】
詳細設定キーに対する押圧が検出されたＳ７においては、操作パネル５０のＬＣＤ５２における割り込みキー６０の表示状態を例えば図１のように選択不可用の表示に変更するとともに、割り込みキー６０を無効にして、割り込みモードへの切替えを不可とする。
【０１０２】
その後、Ｓ６において選択された詳細設定に関するポップアップ画面を、Ｓ８において表示する。
【０１０３】
すなわち、Ｓ７・Ｓ８にて、例えばポップアップ画面６７を表示するとともに、割り込みキー６０の表示状態を割り込みキー６０ａへと変更する。また、割り込みキー６０ａによる割り込み指示が無効となるように設定する。
【０１０４】
また、例えば図１に示すようなポップアップ画面６７における設定を検出して詳細設定を行うことができる。Ｓ９にて例えばＯＫボタン６８ｄに対する押圧を検出すると、ポップアップ画面６７中の詳細設定を確定させて、ポップアップ画面６７の表示を終了する。例えば図１のように倍率を５０％としてＯＫキー６８ｄを押すと、図６に示す画面５８ｂのように、５０％の倍率が設定される。次にＳ１０にて、操作パネル５０のＬＣＤ５２における割り込みキー６０の表示状態を例えば図３のように元に戻すとともに、割り込みキー６０を有効にして、割り込みモードへの切替えを可能とする。
【０１０５】
すなわち、Ｓ９・Ｓ１０にて、例えばポップアップ画面６７の表示を終了するとともに、割り込みキー６０ａの表示状態を元の割り込みキー６０へと変更する。また、割り込みキー６０による割り込み指示が有効となるように設定する。
【０１０６】
その後、Ｓ１にて再び割り込みキーに対する押圧の有無を検出する。
【０１０７】
なお、Ｓ７にて割り込みモードへの切替えを不可とし、Ｓ１０にて割り込みモードへの切替えを可能とするまでのＳ７〜Ｓ９において、例えば図１に示すような選択不可用の表示がなされた割り込みキー６０ａに対する押圧を検出すると、操作パネル５０はＬＣＤ５２に警告メッセージを表示するようになっている。この警告は、例えば警告音を鳴らすといった他の態様にて行ってもよい。
【０１０８】
なお、上述の説明においては、図１を参照して、ポップアップ画面６７の表示とともに割り込みキー６０の表示を選択不可用の表示の割り込みキー６０ａに変更する構成について記載したが、本発明はこれに限るものではない。例えば、図８に示すように、画面５８ｃにポップアップ画面６７を表示するとともに、割り込みキーを消去してしまう構成であってもよい。また、例えば、図９に示すように、画面５８ｄにポップアップ画面６７ａを表示して、割り込みキー６０ｂの一部をポップアップ画面６７ａの背後に隠してしまう構成であってもよい。
【０１０９】
また、上述の説明においては、図４を参照して、ＬＣＤ５２にソフトキーとしての割り込みキー６０が備えられている構成について記載したが、本発明はこれに限るものではない。例えば、図１０に示すように、ハードキー群５１にハードキーとしての割り込みキー７０が備えられている操作パネル５０ａのような構成であってもよい。
【０１１０】
割り込みキー７０は、表示状態を変更して選択可否をユーザに伝えるための選択可否用のランプを有している。例えば割り込み切替えが可能であるときにランプを点灯し、ポップアップ画面が表示されて割り込み切替えが不可になっている間はランプを消灯する。このように、ポップアップ画面の表示に応じてランプの点灯状態を変更して、ユーザへ割り込み選択の可能、不可能を通知できる。この場合の処理の手順については、上述の図７を参照した説明と同様である。
【０１１１】
また、割り込みキー７０のランプの点灯および消灯の切替えは、上記手順に限るものではなく、ポップアップ画面の表示に応じてランプの点灯状態を変更するものであればよい。例えば切替え不可のときに点灯し、切替え可のときに消灯する構成であってもよい。また、ハードキーとしての割り込みキーを備えた構成における表示状態の変更は、ランプの点灯、消灯の組み合わせに限るものではなく、例えばランプによる光の色を変更するものであってもよいし、また例えば操作パネル上における割り込みキーの突出状態を物理的に変更するものであってもよい。
【０１１２】
以上のように、本実施形態に係るユーザインタフェース用表示装置としての操作パネル５０・５０ａは、表示部としてのＬＣＤ５２に展開表示としてのポップアップ画面６７・６７ａが表示されるときに、割り込みキー６０・７０の表示状態を例えば６０ａ・６０ｂのように変更する構成である。また、電子機器、画像形成装置としてのデジタル複写機１は、操作パネル５０・５０ａを備えた構成である。
【０１１３】
したがって、ポップアップ画面６７・６７ａの表示中に割り込みモードとなることを防止して、例えば割り込みモードとなる前にポップアップ画面６７・６７ａに表示されていた詳細設定に関して、ユーザに混乱を生じさせることがない。また、展開表示を確実に終了させてから割り込みモードを選択するようにユーザを促して、ユーザを混乱させることがない。
【０１１４】
ここで、例えば従来の技術においては、ポップアップ画面表示中に割り込みモードを選択することができた。ここで、ポップアップ画面の表示中の設定を行った者として、割り込み前のユーザまたは割り込みユーザの、いずれの場合も考えることができる。このため、ポップアップ画面の表示中に割り込みモードに入り、ポップアップ画面表示を消去やアイコン化等すると、その後のユーザは、元のポップアップ表示中の設定の扱いを有効にするか無効にするかどちらが正しいかが分からなくなってしまう。したがって、ユーザの混乱をまねくことになる。
【０１１５】
一方、本発明においては、上述のように、ポップアップ画面６７・６７ａの表示中に割り込みモードとなることを防止する構成なので、従来の技術の場合の混乱を生ずる虞れがない。
【０１１６】
なお、上述の説明においては、操作パネル５０に表示制御部６９が備えられる一方、電子装置としてのデジタル複写機１に制御手段としての制御部７が備えられる構成について述べたが、本発明はこれに限るものではない。例えば、制御部７が、電子機器に備えられる制御部としての機能と、ユーザインタフェース用表示装置としての操作パネルに備えられる表示制御手段、警告手段としての機能とを兼ねる構成であってもよい。この構成においては、操作パネル５０と制御部７とが、電子機器としてのデジタル複写機１に備えられるユーザインタフェース用表示装置に相当する。
【０１１７】
また、割り込みキー６０・７０は、ポップアップ画面６７・６７ａの表示の有無に応じて表示状態を変化させるだけでなく、さらに、割り込み可能なジョブの有無、ジョブの種類などに応じて表示状態を変化させる構成であってもよい。この構成によれば、さらにユーザに分かりやすいインタフェースを提供できる。
【０１１８】
また、上述の実施の形態においては、ユーザインタフェース用表示装置としての操作パネル５０・５０ａが、電子装置である画像形成装置としてのデジタル複写機１に備えられている例について説明したが、本発明はこれに限るものではなく、ユーザインタフェース用表示装置はその他の電子装置に備えられていてもよい。
【０１１９】
本発明は上述した実施形態や各変形例に限定されるものではなく、請求項に示した範囲で種々の変更が可能であり、実施形態や異なる変形例にそれぞれ開示された技術的手段を適宜組み合わせて得られる実施形態についても、本発明の技術的範囲に含まれる。
【０１２０】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態も本発明の技術的範囲に含まれる。
【０１２１】
【発明の効果】
本発明に係るユーザインタフェース用表示装置は、以上のように、割り込みキーは、表示状態が変更可能となっている一方、表示制御手段は、表示部に展開表示をするときに、上記割り込みキーの表示状態を変更する構成である。
【０１２２】
それゆえ、ユーザに対して割り込みキーを選択できない旨を通知でき、展開表示としてのポップアップ画面の表示中に割り込みモードとなることを防止するので、割り込みモードとなる前にポップアップ画面に表示されていた詳細設定に関して、例えばその詳細設定が有効であるか否かについて、ユーザに混乱を生じさせることがないという効果を奏する。また、展開表示を確実に終了させてから割り込みモードを選択するようにユーザを促すので、ユーザにポップアップ画面中の詳細設定を確認させてからポップアップ画面を終了させて、詳細設定についてユーザを混乱させることがないという効果を奏する。
【０１２３】
本発明に係るユーザインタフェース用表示装置は、以上のように、上記構成において、上記表示制御手段は、上記表示部に上記展開表示をするときに、上記割り込みキーにおいて検出する上記割り込み指示が無効となるよう上記制御手段に指示を送信する構成である。
【０１２４】
それゆえ、割り込みキーにて検出される割り込み指示を無効として、ポップアップ画面の表示中に割り込みモードとなることを確実に防止できるという効果を奏する。
【０１２５】
本発明に係るユーザインタフェース用表示装置は、以上のように、上記構成において、上記表示制御手段は、上記詳細設定を完了して上記展開表示を終了するときに、上記割り込みキーにおいて検出する上記割り込み指示が有効となるよう上記制御手段に指示を送信する構成である。
【０１２６】
それゆえ、詳細設定を完了して展開表示を終了するとき以降に割り込み指示を有効として、割り込みモードへの切替えを可能とするという効果を奏する。
【０１２７】
本発明に係るユーザインタフェース用表示装置は、以上のように、上記構成において、上記割り込みキーは、上記表示部に表示されるソフトキーである構成である。
【０１２８】
それゆえ、割り込みキーの表示状態を容易に変更することができ、ユーザに分かりやすいユーザインタフェースを提供できるという効果を奏する。
【０１２９】
本発明に係るユーザインタフェース用表示装置は、以上のように、上記構成において、上記表示制御手段は、上記表示部に上記展開表示をするときに、上記割り込みキーの表示を消去する構成である。
【０１３０】
それゆえ、ユーザに割り込みキーを選択させないので、ポップアップ画面の表示中に割り込みモードとなることを確実に防止でき、ユーザに混乱を生じさせることがないという効果を奏する。
【０１３１】
本発明に係るユーザインタフェース用表示装置は、以上のように、上記構成において、上記表示制御手段は、上記表示部に上記展開表示をするときに、上記割り込みキーの少なくとも一部を上記展開表示によって隠す構成である。
【０１３２】
それゆえ、割り込みキーがユーザによって選択されることを防止でき、また割込みキーの選択が不可能であることをユーザに明示できるので、ユーザに割り込みキーを選択させず、ポップアップ画面の表示中に割り込みモードとなることを確実に防止でき、ユーザに混乱を生じさせることがないという効果を奏する。
【０１３３】
また、展開表示としてのポップアップ画面による設定が終了したときに、割り込みキーの選択が再び可能となることを、ユーザに明示できるという効果を奏する。
【０１３４】
本発明に係るユーザインタフェース用表示装置は、以上のように、上記構成において、上記表示制御手段は、上記表示部に上記展開表示をするときに、上記割り込みキーの表示状態を選択不可用の表示に変更する構成である。
【０１３５】
それゆえ、この選択不可用の表示によって、割り込みキーが選択できない状態であることをユーザに明示でき、ユーザに割り込みキーの選択をさせず、ユーザに混乱を生じさせることがないという効果を奏する。
【０１３６】
本発明に係るユーザインタフェース用表示装置は、以上のように、上記構成において、上記表示制御手段は、上記詳細設定を完了して上記展開表示を終了するときに、上記割り込みキーの表示状態を、上記展開表示をする前の状態に戻す構成である。
【０１３７】
それゆえ、ポップアップ画面を終了させたときに、ユーザに対して割り込みモードが選択可能となったことを明示でき、迅速なユーザインタフェースを提供できるという効果を奏する。
【０１３８】
本発明に係るユーザインタフェース用表示装置は、以上のように、上記構成において、ユーザに警告を行うための警告手段を有し、上記表示制御手段は、上記表示部に上記展開表示をしているときに、上記割り込みキーの選択を検出すると、上記警告手段を用いて警告を行う構成である。
【０１３９】
それゆえ、割り込みキーの選択を検出するとユーザに警告を行うので、割り込みキーを選択できない旨をユーザに対してより確実に明示できるという効果を奏する。
【０１４０】
本発明に係る画像形成装置は、以上のように、上述のいずれかのユーザインタフェース用表示装置を備えている、上記電子機器である構成である。
【０１４１】
それゆえ、展開表示としてのポップアップ画面の表示中に割り込みモードとなることを防止して、例えば割り込みモードとなる前にポップアップ画面に表示されていた詳細設定に関してユーザに混乱を生じさせることがないという効果を奏する。また、展開表示を確実に終了させてから割り込みモードを選択するようにユーザを促して、ユーザを混乱させることがないという効果を奏する。
【図面の簡単な説明】
【図１】本発明に係るユーザインタフェース用表示装置の一実施形態の一部を示す平面図である。
【図２】本発明に係る画像形成装置の一実施形態の概略を示す断面図である。
【図３】上記画像形成装置の概略を示すブロック図である。
【図４】上記ユーザインタフェース用表示装置を示す平面図である。
【図５】上記ユーザインタフェース用表示装置の一部を示す平面図である。
【図６】上記ユーザインタフェース用表示装置の、図５とは異なる状態を示す平面図である。
【図７】上記画像形成装置の動作を示すフローチャートである。
【図８】本発明に係るユーザインタフェース用表示装置の他の実施例の一部を示す平面図である。
【図９】本発明に係るユーザインタフェース用表示装置のさらに他の実施例の一部を示す平面図である。
【図１０】本発明に係るユーザインタフェース用表示装置のさらに他の実施例を示す平面図である。
【符号の説明】
１　　　　　　　　　　　　デジタル複写機（画像形成装置、電子機器）
７　　　　　　　　　　　　制御部（制御手段）
５０、５０ａ　　　　　　　操作パネル（ユーザインタフェース用表示装置）
５２　　　　　　　　　　　ＬＣＤ（表示部）
６０、６０ａ、６０ｂ　　　割り込みキー（ソフトキー）
６１　　　　　　　　　　　特別機能キー（詳細設定キー）
６２　　　　　　　　　　　両面印刷キー（詳細設定キー）
６３　　　　　　　　　　　アウトプットキー（詳細設定キー）
６４　　　　　　　　　　　自動／コピー濃度キー（詳細設定キー）
６５　　　　　　　　　　　用紙選択キー（詳細設定キー）
６６、６６ａ、６６ｂ　　　倍率キー（詳細設定キー）
６７、６７ａ　　　　　　　ポップアップ画面
６８ａ　　　　　　　　　　倍率表示（細部項目）
６８ｂ　　　　　　　　　　拡大キー（細部項目）
６８ｃ　　　　　　　　　　縮小キー（細部項目）
６９　　　　　　　　　　　表示制御部（表示制御手段、警告手段）
７０　　　　　　　　　　　割り込みキー
【図１】
2004056377.tif 000003
【図２】
2004056377.tif 000004
【図３】
2004056377.tif 000005
【図４】
2004056377.tif 000006
【図５】
2004056377.tif 000007
【図６】
2004056377.tif 000008
【図７】
2004056377.tif 000009
【図８】
2004056377.tif 000010
【図９】
2004056377.tif 000011
【図１０】
2004056377.tif 000012